(57)【要約】【課題】  本発明は、内燃機関のピストンを冷却するためのピストンの冷却構造に関し、ピンボス部の内側を効果的に冷却することを目的とする。【解決手段】  ピストンヘッドの裏側のピンボス部の外側となる位置に冷却ギャラリを形成し、前記冷却ギャラリにオイル噴射手段からのオイルを噴射して前記ピストンヘッドを冷却してなるピストンの冷却構造において、前記ピンボス部に、前記冷却ギャラリ側と前記ピンボス部の内側とを連通する冷却用穴を形成してなることを特徴とする。【選択図】    図１
2007107503.tif 000002
【特許請求の範囲】
【請求項１】
ピストンヘッドの裏側のピンボス部の外側となる位置に冷却ギャラリを形成し、前記冷却ギャラリにオイル噴射手段からのオイルを噴射して前記ピストンヘッドを冷却してなるピストンの冷却構造において、
前記ピンボス部に、前記冷却ギャラリ側と前記ピンボス部の内側とを連通する冷却用穴を形成してなることを特徴とするピストンの冷却構造。
【請求項２】
請求項１記載のピストンの冷却構造において、
前記冷却用穴を、前記オイル噴射手段の噴射位置側から反対側に向けて形成してなることを特徴とするピストンの冷却構造。
【請求項３】
請求項１または請求項２記載のピストンの冷却構造において、
前記冷却用穴を、前記ピンボス部のピン穴のブッシュの近傍に開口してなることを特徴とするピストンの冷却構造。                                                                              
【発明の詳細な説明】
【技術分野】
【０００１】
本発明は、内燃機関のピストンを冷却するためのピストンの冷却構造に関する。
【背景技術】
【０００２】
従来、ピストンの冷却構造として、図６および図７に示すように、ピストンヘッド１の裏側のピンボス部２の外側となる位置に冷却ギャラリ３を形成し、この冷却ギャラリ３にノズル４からのオイルを噴射してピストンヘッド１を冷却するものが知られている。
【特許文献１】特開２００３−３４３３５０号公報
【発明の開示】
【発明が解決しようとする課題】
【０００３】
しかしながら、上述したピストンの冷却構造では、ピストンヘッド１の冷却ギャラリ３およびその近傍を効果的に冷却することができるが、主荷重部であるピン穴５のブッシュ６が存在するピンボス部２の内側(二点鎖線で示す)を冷却することが困難であるという問題があった。
本発明は、かかる従来の問題を解決するためになされたもので、ピンボス部の内側を効果的に冷却することができるピストンの冷却構造を提供することを目的とする。
【課題を解決するための手段】
【０００４】
第１の発明のピストンの冷却構造は、ピストンヘッドの裏側のピンボス部の外側となる位置に冷却ギャラリを形成し、前記冷却ギャラリにオイル噴射手段からのオイルを噴射して前記ピストンヘッドを冷却してなるピストンの冷却構造において、前記ピンボス部に、前記冷却ギャラリ側と前記ピンボス部の内側とを連通する冷却用穴を形成してなることを特徴とする。
【０００５】
第２の発明のピストンの冷却構造は、第１の発明のピストンの冷却構造において、前記冷却用穴を、前記オイル噴射手段の噴射位置側から反対側に向けて形成してなることを特徴とする。
第３の発明のピストンの冷却構造は、第１または第２の発明のピストンの冷却構造において、前記冷却用穴を、前記ピンボス部のピン穴のブッシュの近傍に開口してなることを特徴とする。
【発明の効果】
【０００６】
第１の発明のピストンの冷却構造では、冷却ギャラリに噴射されたオイル噴射手段からのオイルが、冷却ギャラリ側とピンボス部の内側とを連通する冷却用穴を通り、ピンボス部の内側に流入する。従って、ピンボス部の内側を効果的に冷却することができる。
第２の発明のピストンの冷却構造では、冷却用穴をオイル噴射手段の噴射位置側から反対側に向けて形成したので、冷却用穴にオイル噴射手段からのオイルを効果的に流入させることができる。
【０００７】
第３の発明のピストンの冷却構造では、冷却用穴を、ピンボス部のピン穴のブッシュの近傍に開口したので、ブッシュを効果的に冷却することができる。
【発明を実施するための最良の形態】
【０００８】
以下、本発明の実施形態を図面を用いて詳細に説明する。
図１および図２は、本発明のピストンの冷却構造の一実施形態を示している。
このピストンの冷却構造では、ピストン１１のピストンヘッド１３の裏側に、一対のピンボス部１５が一体形成されている。一対のピンボス部１５は所定間隔を置いて対向して形成されている。一対のピンボス部１５には、それぞれピン穴１７が形成されている。ピン穴１７には、円筒状のブッシュ１９が配置されている。このブッシュ１９には、図示しないピストンピンが嵌挿される。
【０００９】
ピストンヘッド１３の裏側には、ピンボス部１５の外側となる位置に冷却ギャラリ２１が形成されている。この冷却ギャラリ２１は、ピストンヘッド１３の裏側に、凹部１３ａを円環状に形成してなる。
ピストンヘッド１３の裏側の外周には、円筒状のスカート部２３が配置され、図示しないピストンピンにより支持されている。この実施形態では、ピストンヘッド１３およびピンボス部１５が、鍛造により形成されている。そして、ピストンヘッド１３の外周にアルミニウム製のスカート部２３を配置した、所謂２ピースピストンとされている。
【００１０】
ピストンヘッド１３の冷却ギャラリ２１の下方には、スカート部２３の内側にノズル２５が配置されている。このノズル２５は、冷却ギャラリ２１に向けてオイルを噴射してピストンヘッド１３を冷却する。
そして、この実施形態では、一対のピンボス部１５に、それぞれ冷却ギャラリ２１側とピンボス部１５の内側とを連通する冷却用穴１５ａが形成されている。
【００１１】
この冷却用穴１５ａは、図２に示すように、冷却ギャラリ２１におけるノズル２５からのオイルジェット流入位置Ｐに近い側から反対側に向けて形成されている。一対の冷却用穴１５ａは、一対のピンボス部１５の間の中央を通る中心線Ｌ(図２に示す)を中心にして左右対称に形成されている。また、冷却用穴１５ａは、図１に示すように、ピンボス部１５のピン穴１７のブッシュ１９の近傍に開口されている。
【００１２】
上述したピストンの冷却構造では、図３に矢符Ａで示すように、ノズル２５から冷却ギャラリ２１に向けてオイルが噴射される。そして、噴出されたオイルが、図４に矢符Ｂで示すように、冷却ギャラリ２１のオイルジェット流入位置Ｐから円環状の凹部１３ａに沿って流れピストンヘッド１３の冷却が行われる。
また、冷却ギャラリ２１の円環状の凹部１３ａに沿って流れるオイルの一部が、図３から図５に矢符Ｃで示すように、冷却ギャラリ２１側とピンボス部１５の内側とを連通する冷却用穴１５ａを通り、ピンボス部１５の内側に流入し、ピンボス部１５の内側の冷却が行われる。
【００１３】
上述したピストンの冷却構造では、冷却ギャラリ２１に噴射されたノズル２５からのオイルが、冷却ギャラリ２１側とピンボス部１５の内側とを連通する冷却用穴１５ａを通り、ピンボス部１５の内側に流入するため、ピンボス部１５の内側を効果的に冷却することができる。そして、追加部品や加工時の大掛かりな工程変更を伴うことなく、ピンボス部１５の内側を効果的に冷却することが可能になる。
【００１４】
また、上述したピストンの冷却構造では、冷却用穴１５ａを冷却ギャラリ２１のオイルジェット流入位置Ｐ側から反対側に向けて形成したので、冷却用穴１５ａにノズル２５からのオイルを効果的に流入させることができる。
そして、上述したピストンの冷却構造では、冷却用穴１５ａを、ピンボス部１５のピン穴１７のブッシュ１９の近傍に開口したので、ブッシュ１９を効果的に冷却することができる。これにより、ブッシュ１９に、かじり、焼き付き、腐食等が生じることを有効に防止することができる。
(実施形態の補足事項)
以上、本発明を上述した実施形態によって説明してきたが、本発明の技術的範囲は上述した実施形態に限定されるものではなく、例えば、以下のような形態でも良い。
【００１５】
(１)上述した実施形態では、所謂２ピースピストンに本発明を適用した例について説明したが、ピストンヘッドの裏側の冷却ギャラリにオイルを噴射して冷却を行うピストンの冷却構造に広く適用することができる。
【図面の簡単な説明】
【００１６】
【図１】本発明のピストンの冷却構造の一実施形態を示す説明図である。
【図２】図１のピストンを下側から見た状態を示す説明図である。
【図３】図１におけるオイルの流れを示す説明図である。
【図４】図２におけるオイルの流れを示す説明図である。
【図５】ピン穴を斜視的に見てオイルの流れを示す説明図である。
【図６】従来のピストンの冷却構造を示す説明図である。
【図７】図６のピストンを下側から見た状態を示す説明図である。
【符号の説明】
【００１７】
１１  ピストン
１３  ピストンヘッド
１５  ピンボス部
１５ａ  冷却用穴
１７  ピン穴
１９  ブッシュ
２１  冷却ギャラリ
２５  ノズル                                                                               
【図１】
2007107503.tif 000003
【図２】
2007107503.tif 000004
【図３】
2007107503.tif 000005
【図４】
2007107503.tif 000006
【図５】
2007107503.tif 000007
【図６】
2007107503.tif 000008
【図７】
2007107503.tif 000009